(57)【要約】      （修正有）【課題】微妙な色合いの変化を表現し、幻想的な雰囲気を作り出すことができる照明手段を備える携帯情報端末を提供する。【解決手段】操作部が設けられた本体と、本体の操作部側に重ね合わせられる蓋体とからなる携帯情報端末である。蓋体の本体側の面の端部には、本体の操作部側の面を照明する照明手段３５３、３２２が設けられ、本体の操作部側の面には、本体に蓋体が重ね合わせられた状態で、照明手段から照射される光を反射して本体と蓋体との隙間から外部へ放射させる反射部２１４が設けられているので、照明手段から照射される光を反射部に反射させてから、本体と蓋体との隙間から外部へ放射させる間接光とすることで、照明手段による直接光よりも眩しさを和らげることができる。また間接光により微妙な色合いの変化を表現し、幻想的な雰囲気を作り出すことができる。【選択図】図１０
2006115108.tif 000002
【特許請求の範囲】
【請求項１】
操作部が設けられた本体と、本体の操作部側に重ね合わせられる蓋体とからなる携帯情報端末において、
本体と蓋体との互いに向かい合う面のいずれか一方の面の端部には、他方の面を照明する照明手段が設けられ、
他方の面には、本体と蓋体とが重ね合わせられた状態で、照明手段から照射される光を反射して本体と蓋体との隙間から外部へ放射させる反射部が設けられていることを特徴とする携帯情報端末。
【請求項２】
蓋体は、操作部に沿ってスライド自在に本体に接続され、操作部を被覆する閉状態、または操作部を露出させる開状態となり、
操作部のスライド方向の両端部には反射部が設けられ、
照明手段は蓋体に設けられ、閉状態において一方の反射部へ光を照射し、開状態において他方の反射部へ光を照射する位置に配置されることを特徴とする請求項１に記載の携帯情報端末。
【請求項３】
反射部は本体の内側に窪んだ断面円弧形状であることを特徴とする請求項１または２に記載の携帯情報端末。
【請求項４】
反射部には表面粗度を高める表面処理が施されていることを特徴とする請求項１〜３のいずれか一項に記載の携帯情報端末。
【発明の詳細な説明】
【技術分野】
【０００１】
本発明は、携帯電話機等の携帯情報端末に関する。
【背景技術】
【０００２】
従来の携帯電話機としては、表示部が設けられた蓋体と、キー入力部が設けられた本体とが、ヒンジ部で折り畳んで重ね合わせられるように接続された、いわゆる折り畳み式の携帯電話機がある。
【０００３】
また、本体に長手方向に案内溝を設け、案内溝に沿って移動自在に係合する係合片を蓋体に設け、蓋体を本体の上に重ねあわせて係合片を案内溝に係合させ、蓋体を本体に対してスライド自在にした携帯電話機もある。このような携帯電話機では、本体を掌に載せ、親指で蓋体を押すことで、蓋体が本体に対してスライドし、蓋体に覆われていた操作部を露出させることができる（特許文献１参照）。
【０００４】
従来の携帯電話機でユーザに着信やメール受信等を報知するために、スピーカーやバイブモーターを鳴動させるとともに、表示部や、携帯電話機の表面に設けられた報知用ＬＥＤを点灯させたりするものがある。また、充電時には報知用ＬＥＤを点灯させて充電中であることを報知するものもある。
【特許文献１】特開２００３−１１０６７５号公報
【発明の開示】
【発明が解決しようとする課題】
【０００５】
しかし、報知用ＬＥＤによる直接光は眩しく、また色合いの変化も乏しく、使い心地がよいものではなかった。
【０００６】
本発明の課題は、微妙な色合いの変化を表現し、幻想的な雰囲気を作り出すことができる照明手段を備える携帯情報端末を提供することである。
【課題を解決するための手段】
【０００７】
以上の課題を解決するため、請求項１に記載の発明は、操作部（テンキー２１２）が設けられた本体２と、本体２の操作部側に重ね合わせられる蓋体３とからなる携帯情報端末において、本体２と蓋体３との互いに向かい合う面のいずれか一方の面の端部には、他方の面を照明する照明手段（ＬＥＤ３５３、導光体３２２）が設けられ、他方の面には、本体と蓋体とが重ね合わせられた状態で、照明手段から照射される光を反射して本体と蓋体との隙間から外部へ放射させる反射部（光散乱部２１３、２１４）が設けられていることを特徴とする。
【０００８】
請求項１に記載の発明によれば、照明手段から照射される光を反射部に反射させてから、本体２と蓋体３との隙間から外部へ放射させる間接光とすることで、照明手段による直接光よりも眩しさを和らげることができる。
【０００９】
請求項２に記載の発明は、請求項１に記載の携帯情報端末であって、蓋体３は、操作部に沿ってスライド自在に本体２に接続され、操作部を被覆する閉状態、または操作部を露出させる開状態となり、操作部のスライド方向の両端部には反射部が設けられ、照明手段は閉状態において一方の反射部（光散乱部２１４）へ光を照射し、開状態において他方の反射部（光散乱部２１３）へ光を照射することを特徴とする。
【００１０】
請求項２に記載の発明によれば、閉状態または開状態のいずれにおいても、照明手段が反射部に照射した光を本体２と蓋体３との隙間から外部へ放射させることができる。また、開状態において反射部が反射した光を操作部の間接照明として使用することができる。
【００１１】
請求項３に記載の発明は、請求項１または２に記載の携帯情報端末であって、反射部は本体の内側に窪んだ断面円弧形状であることを特徴とする。
【００１２】
請求項３に記載の発明によれば、反射部の形状が本体の内側に窪んだ断面円弧形状であるので、反射部に照射された光が様々な方向へ反射し、広範囲を照明することができる。
【００１３】
請求項４に記載の発明は、請求項１〜３のいずれか一項に記載の携帯情報端末であって、反射部には表面粗度を高める表面処理が施されていることを特徴とする。
【００１４】
請求項４に記載の発明によれば、反射部には表面粗度を高める表面処理が施されているので、照明手段から照射される光を反射部で散乱させ、微妙な色合いの変化を表現し、幻想的な雰囲気を作り出すことができる。
【発明の効果】
【００１５】
本発明によれば、本体と蓋体との隙間から直接光よりも眩しさを和らげた間接光を放射することができ、微妙な色合いの変化を表現し、幻想的な雰囲気を作り出すことができる。
【発明を実施するための最良の形態】
【００１６】
以下、本発明の実施の形態について詳細に説明する。図１は本発明の実施の形態として携帯電話機１を示す斜視図である。携帯電話機１は、上面にテンキー２１２が設けられた本体２と、上面にＬＣＤ窓３１１及びカーソルキー３５１が設けられた蓋体３とからなる。
【００１７】
本体２及び蓋体３は、後述するスライドユニット４により、蓋体３が本体２に対して前後方向に移動するように取り付けられている。このため、図１（ｂ）に示す蓋体３を本体２の上に重ね合わせてテンキー２１２を覆い隠した状態（閉状態）や、図１（ａ）に示す蓋体３を本体２に対して前方向に移動させてテンキー２１２を露出させた状態（開状態）にすることができる。
【００１８】
なお、図１（ｂ）に示す閉状態において、本体２及び蓋体３の後端面は、ともに前方に向かって上がる傾斜面を構成しており、蓋体３の後端部の断面形状は鋭角になっている。また、蓋体３のカーソルキー３５１は、後端部の傾斜面に設けられている。
【００１９】
このため、図１（ａ）に示す開状態において、テンキー２１２の前部まで蓋体３の後端部を前進させ、テンキー２１２を露出させると、テンキー２１２の前方に断面形状が鋭角な蓋体３の後端部が位置する。テンキー２１２が設けられた本体２の上面と、カーソルキー３５１が設けられた蓋体３の後端部の傾斜面とが連続するため、テンキー２１２及びカーソルキー３５１を操作するときに指の移動が容易となる。
【００２０】
また、開状態においては、本体２の薄い前端部と、蓋体３の薄い後端部とが重なり合うため、開状態における携帯電話の厚みがほぼ一様になる。このため、従来のスライド式の携帯電話のように前後方向の中央部分で厚みが２倍になるという不具合がなく、使い勝手がよい。
【００２１】
図２は本体２の分解斜視図である。本体２は、フロントケース２１と、リアケース２２と、バッテリーカバー２３とにより外観形状が形成されており、前方に向かって薄くなる形状をしている。本体２の内部にはバッテリー２４（図７参照）、メイン基板２５等が収納されている。フロントケース２１及びリアケース２２の前部及び後部は、間にメイン基板２５を挟んでネジ２６１、２６２により接合されている。
【００２２】
メイン基板２５には、後述するＦＰＣ５のメイン基板側コネクタ５１と接続されるＦＰＣコネクタ２５１（図７参照）が設けられている。また、この他に、バイブモーター２５２、メインプロセッサ、テンキー２１２用センサー、メインアンテナ、サブアンテナ、メモリーカードスロット２５５、モデム、メモリー、電源ＩＣ、ＩＦコネクタ、イヤホンコネクタ等が設けられている。
【００２３】
フロントケース２１にはテンキー２１２や、後述するフレキシブルプリント基板（ＦＰＣ５）を通すＦＰＣ挿通孔２１１が設けられている。また、テンキー２１２の前部及び後部には、後述する導光体３２２から照射される光を散乱させる光散乱部２１３、２１４が設けられている。光散乱部２１３、２１４は、図７に示すように、内側に窪んだ円弧状の断面形状を有している。光散乱部２１３、２１４は照射された光を散乱させるように表面粗度を高める表面処理が施されており、導光体３２２から照射される光を様々な方向へ反射する。
【００２４】
フロントケース２１の上面には、図４に示すように、後述するスライドユニット４のベース４１及びガイドレール４２がネジ２６３、２６４によりネジ止めされて取り付けられる。また、フロントケース２１のＦＰＣ挿通孔２１１の後部には係止部２１０が設けられており、ベース４１の後端部は、係止部２１０によりフロントケース２１本体との間に挟まれて固定される。
【００２５】
図３は蓋体３の分解斜視図である。蓋体３は、フロントケース３１と、リアケース３２と、カメラカバー３３と、レールカバー３４とにより外観形状が形成されており、前方に向かって厚くなる形状をしている。蓋体３の内部には、サブ基板３５、液晶ディスプレイ（ＬＣＤ３６）、フレーム３７、カメラユニット３８１、ステレオスピーカー３８２等が収納されている。
【００２６】
また、蓋体３の前端部はさらに厚みを増しており、カメラユニット３８１やステレオスピーカー３８２等、厚みがあるデバイスが収納される肉厚部３０となっている。肉厚部３０は、閉状態においても、本体２の前方に位置し、本体２の上に重ね合わせられていない。このため、厚みがあるデバイスを前端部に収納しても、閉状態における携帯電話機１の厚みが増すことがない。
【００２７】
フロントケース３１には、ＬＣＤ窓３１１やカーソルキー用孔３１２が設けられている。ＬＣＤ窓３１１は透明であり、蓋体３に内蔵したＬＣＤ３６を保護しながら、ＬＣＤ３６による表示を透過させてユーザに見せる。カーソルキー用孔３１２は、カーソルキー３５１を露出させ、ユーザによるキー操作を可能とする。
カーソルキー３５１の背面にはカーソルキー３５１の入力を検知するカーソルキーフレキ３５４が配され、カーソルキーフレキ３５４は後述するサブ基板３５のカーソルキーコネクタに接続されている。
【００２８】
リアケース３２には、図４に示すように、後述するＦＰＣ５のサブ基板側コネクタ５２を通すコネクタ貫通孔３２１が設けられている。また、リアケース３２の後部には、後述するＬＥＤ３５３により上から照射される光を誘導し、下向き斜め後方へ放射させる導光体３２２が設けられている。導光体３２２から放射される光は、光散乱部２１３へ照射される。
【００２９】
フロントケース３１及びリアケース３２の前部は、間にサブ基板３５を挟んでネジ３９１により接合されている。また、フロントケース３１及びリアケース３２の後部は、間にフレーム３７を挟んでネジ３９２により接合されている。
【００３０】
リアケース３２の下面には、図４に示すように、後述するスライドユニット４のレール４３がネジ３９３、３９４、３９５によりネジ止めされて取り付けられる。また、リアケース３２のレール４３が取り付けられる部分の後方には、後述する係合片４１６、４２４が後ろ向きに挿入される係合孔３２０が設けられている。
【００３１】
カメラカバー３３は図３に示すように、リアケース３２の前側に取り付けられ、カメラユニット３８１やステレオスピーカー３８２を被覆する。蓋体３のカメラカバー３３が取り付けられた部分は、他の部分よりも厚みが増した肉厚部３０となる。なお、カメラカバー３３には、被写体の光を透過させてカメラユニット３８１まで届かせるカメラ用窓３３１が設けられている。
レールカバー３４はリアケース３２に取り付けられ、携帯電話機１を開状態にしたときにレール４３の本体２の前部に露出する部分を被覆する。
【００３２】
サブ基板３５には、サブプロセッサ、カメラ用電源ＩＣ、カーソルキー３５１と接続するためのカーソルキーコネクタ等が設けられている。カーソルキー３５１はカーソルキー用孔３１２から外側へ露出しており、ユーザによるキー操作が可能となっている。カーソルキーフレキ３５４の下面には、図７〜図１０に示すように、照明用のＬＥＤ３５３が設けられている。ＬＥＤ３５３は導光体３２２に向けて照明用の光を放射する。
【００３３】
サブ基板３５の下面には、後述するＦＰＣ５のサブ基板側コネクタ５２と接続されるＦＰＣコネクタ３５２が設けられている。
【００３４】
ＬＣＤ３６はフレーム３７により支持されており、フレーム３７はリアケース３２に固定されている。カメラユニット３８１及びステレオスピーカー３８２は、図３に示すように、フロントケース３１及びリアケース３２の前部に収納されている。
【００３５】
ＦＰＣ５は両端部にメイン基板側コネクタ５１とサブ基板側コネクタ５２とを備え、メイン基板２５と、サブ基板３５とを接続する。
【００３６】
次に、本体２及び蓋体３を、蓋体３が本体２に対して前後方向に移動するように取り付けるスライドユニット４について説明する。図４は本体２と蓋体３との間を接続するスライドユニットの取付構造を示す分解斜視図である。スライドユニット４は、図４に示すように、ベース４１と、一対のガイドレール４２と、レール４３と、一対のスペーサー４４と、一対のトーションバネ４５とから概略構成される。
【００３７】
ベース４１及びガイドレール４２は、ネジ２６３、２６４により、本体２のフロントケース２１に取り付けられる。また、レール４３は、ネジ３９３、３９４、３９５により、蓋体３のリアケース３２に取り付けられる。
【００３８】
図５はスライドユニット４の分解斜視図である。ベース４１は、基部４１１と、接続部４１２と、ガイドレール固定部４１３とからなる。基部４１１及びガイドレール固定部４１３は、図４に示すように、本体２のフロントケース２１の前側部分に固定される。基部４１１の左右側端部には、接続部４１２が蓋体３側に突出して設けられている。また、基部４１１にはＦＰＣ５を通すＦＰＣ挿通孔４１４が設けられている。
【００３９】
接続部４１２は基部４１１とガイドレール固定部４１３とを上下に離間させて接続する。ガイドレール固定部４１３は左右の接続部４１２にそれぞれ接続されている。ガイドレール固定部４１３には、ガイドレール４２が固定される。
【００４０】
ベース４１の後方部の、基部４１１とガイドレール固定部４１３との間には、トーションバネ４５のベース側腕４５１の端部が回動自在に固定されるベース側支軸４１５が設けられる。なお、基部４１１とガイドレール固定部４１３との間の空間は、トーションバネ４５が動くための軌道となる。
【００４１】
ガイドレール４２は、基部４２１と、接続部４２２と、スペーサー保持部４２３とからなる。基部４２１はベース４１のガイドレール固定部４１３に固定される。接続部４２２はスペーサー保持部４２３をガイドレール固定部４１３から離間させて基部４２１に接続する。スペーサー保持部４２３はガイドレール固定部４１３との間に、スペーサー４４を介してレール４３を摺動自在に保持する。
【００４２】
また、ベース４１及びガイドレール４２の後端部には、後方に突出した係合片４１６、４２４がそれぞれ設けられている。係合片４１６、４２４は、リアケース３２に設けられた係合孔３２０と係合し、本体２に対して前方向に摺動する蓋体３を停止させる。係合片４１６、４２４が係合孔３２０と係合していることで、開状態において蓋体３の前部分に下向きの力がかかった場合でも、蓋体３の後端が本体２から浮き上がることを防ぎ、開状態における携帯電話機１の剛性を高めることができる。
【００４３】
レール４３は、固定部４３１と、接続部４３２と、スペーサー固定部４３３と、連結部４３４とからなる。左右一対の固定部４３１は、リアケース３２に前後方向に平行に固定される。
【００４４】
接続部４３２は、スペーサー固定部４３３をリアケース３２から離間させて固定部４３１と接続する。スペーサー固定部４３３は左右一対のスペーサー４４を前後方向に平行に固定する。また、スペーサー固定部４３３の前端には上方へ突出する突出部４３６が設けられている。突出部４３６は、ガイドレール４２の前端と当接し、ガイドレール４２及びベース４１に対して後方へ摺動するレール４３を停止させる。
【００４５】
連結部４３４は、左右一対の固定部４３１を連結する。連結部４３４の上面には、ＦＰＣ５のサブ基板側コネクタ５２が配置される。連結部４３４の前端左右側部の下面には、トーションバネ４５のレール側腕４５２の端部が回動自在に固定されるレール側支軸４３５が取り付けられる。左右のレール側支軸４３５が取り付けられる部分の間には、ＦＰＣ５が通される。
【００４６】
スペーサー４４は断面コ字形状をしており、レール４３のスペーサー固定部４３３を被覆し、ベース４１及びガイドレール４２をレール４３に対して摺動自在とする。スペーサー４４の素材としては、ベース４１及びガイドレール４２との摩擦係数が小さい素材を用いることが好ましい。
【００４７】
トーションバネ４５は、ベース側腕４５１と、レール側腕４５２と、ベース側腕４５１及びレール側腕４５２を接続するコイル部４５３とからなる。コイル部４５３はベース側腕４５１及びレール側腕４５２を広げるように付勢している。ベース側腕４５１の端部はベース側支軸４１５に、レール側腕４５２の端部をレール側支軸４３５に、それぞれ回動自在に固定されている。トーションバネ４５は、ベース側腕４５１の端部とレール側腕４５２の端部との間隔が広がるように付勢されているため、ベース側支軸４１５とレール側支軸４３５とを、互いに遠ざかる方向へ付勢する。
【００４８】
図６は図１の携帯電話機１の形態に対応するスライドユニット４の形態を示す斜視図である。図６（ａ）は本体２の上に蓋体３が重ね合わせられた閉状態であり、レール４３前端の突出部４３６がガイドレール４２の前端に当接している。このときレール側支軸４３５はベース側支軸４１５よりも後方に位置するため、トーションバネ４５の弾性力は、レール側支軸４３５をベース側支軸４１５に対して遠ざかる方向、すなわち後方に付勢している。
【００４９】
閉状態の携帯電話の本体２を掌に載せ、親指で蓋体３を前方へ押圧すると、トーションバネ４５の弾性力に抗して蓋体３が前進し、図６（ｂ）に示す中間状態となる。このときレール側支軸４３５とベース側支軸４１５とが左右に並んでいるので、トーションバネ４５の弾性力は、レール側支軸４３５をベース側支軸４１５に対して遠ざかる方向、すなわちレール４３と垂直な左右方向に作用している。このため、中間状態は、トーションバネ４５が蓋体３を前後いずれの方向にも付勢しない不安定な状態である。
【００５０】
中間状態からさらに親指で蓋体３を前方へ押圧すると、レール側支軸４３５がベース側支軸４１５よりも前方へ位置するため、トーションバネ４５はレール側支軸４３５をベース側支軸４１５から遠ざける方向、すなわち前方に付勢する。このため、蓋体３を中間状態よりも前方へ押圧すると、以降は蓋体３を前方へ押圧しなくても、トーションバネ４５の弾性力により、蓋体３が前進する。
【００５１】
蓋体３は、リアケース３２に設けられた係合孔３２０に、ベース４１及びガイドレール４２の後端部に設けられた係合片４１６、４２４が係合することで、前進を停止し、開状態となる。開状態において蓋体３の前部分に下向きの力がかかった場合には、蓋体３の後端が本体２から浮き上がろうとするが、係合孔３２０に係合片４１６、４２４が係合しているので、蓋体３がベース４１及びガイドレール４２から浮き上がることを防いでいる。また、本体２のフロントケース２１の係止部２１０により、ベースの後端が固定されているので、ベース４１が蓋体３とともに浮き上がることを防いでおり、開状態における携帯電話機１の剛性を高めている。
【００５２】
開状態から蓋体３を後方に下げる場合にも同様に、中間状態まではトーションバネ４５の弾性力に抗して力を作用させる必要があるが、中間状態以降はトーションバネ４５の弾性力により、蓋体３が後方に移動する。
【００５３】
なお、ベース側腕４５１の長さと、コイル部４５３の半径とを足した長さ、すなわちベース側支軸４１５を中心とするコイル部４５３の可動半径は、レール側支軸４３５とベース側支軸４１５との最短距離よりも短い。このため、トーションバネ４５のコイル部４５３は、レール側支軸４３５の軌道よりも側方の軌道を移動する。レール側支軸４３５の間はＦＰＣ５が移動する軌道となるが、トーションバネ４５の軌道はＦＰＣ５の軌道よりも側方であるため、トーションバネ４５がＦＰＣ５の移動を妨げることはない。
【００５４】
同様に、レール側腕４５２の長さと、コイル部４５３の半径とを足した長さ、すなわちレール側支軸４３５を中心とするコイル部４５３の可動半径は、レール側支軸４３５とベース側支軸４１５との最短距離よりも短いため、トーションバネ４５のコイル部４５３は、ベース側支軸４１５の軌道よりも内側の軌道を移動する。
【００５５】
ここで、携帯電話機１の着信やメール受信、充電等を報知する照明について説明する。図７は図１（ａ）の要部を示す側断面図である。開状態において、蓋体３は、導光体３２２が下向き斜め後方へ照射する光が、光散乱部２１３に照射される位置に配置されている。
【００５６】
図８は図７における、ＬＥＤ３５３から照射される光の経路を示す拡大図である。まず、携帯電話機１の着信応答等によりＬＥＤ３５３が発光すると、導光体３２２に光が照射される。導光体３２２に上方から照射された光は、導光体３２２の内部で反射し、下向き斜め後方へ放射される。
【００５７】
開状態において、導光体３２２の下向き斜め後方には、光散乱部２１３が位置している。導光体３２２から放射された光は、光散乱部２１３に照射される。光散乱部２１３に照射された光は、様々な方角に散乱し、本体２と蓋体３との隙間から外部へ放射される。この放射光により、本体２と蓋体３との隙間に近い部分ほど明るく、遠い部分ほど暗くなるようにグラデーションがかかった照明をすることができる。
【００５８】
図９は図１（ｂ）の要部を示す側断面図である。閉状態において、蓋体３は、導光体３２２が下向き斜め後方へ照射する光が、光散乱部２１４に照射される位置に配置されている。
【００５９】
図１０は図９における、ＬＥＤ３５３から照射される光の経路を示す拡大図である。閉状態においても、ＬＥＤ３５３方から照射された光は、導光体３２２の内部で反射し、下向き斜め後方へ放射される。
【００６０】
閉状態において、導光体３２２の下向き斜め後方には、光散乱部２１４が位置している。導光体３２２から放射された光は、光散乱部２１４に照射される。光散乱部２１４に照射された光は、様々な方角に散乱し、本体２と蓋体３との隙間から外部へ放射される。この放射光により、開状態と同様に、本体２と蓋体３との隙間に近い部分ほど明るく、遠い部分ほど暗くなるようにグラデーションがかかった照明をすることができる。
【００６１】
開状態、閉状態のいずれの状態においても、この照明光により、ユーザに着信やメール受信、充電等を報知することができる。このように、ＬＥＤ３５３による直接光ではなく、間接光によりユーザに報知するため、眩しさが低減される。また、間接光を光散乱部２１３、２１４により散乱させることで、微妙な色合いの変化を表現し、幻想的な雰囲気を作り出すことができる。
【００６２】
以上の実施の形態においては、スライド式の携帯電話機について説明したが、本発明はこれに限らず、例えばＰＤＡ等、その他の携帯情報端末に本発明を適用してもよい。また、散乱光をテンキー２１２用のキー照明として使用してもよいし、ＬＥＤ３５３をカーソルキー３５１のバックライトと兼用してもよい。その他の具体的な細部構造についても適宜変更可能であることはもちろんである。
【図面の簡単な説明】
【００６３】
【図１】（ａ）、（ｂ）は本発明の実施の形態の携帯電話機を示す斜視図である。
【図２】図１の携帯電話機の本体を示す分解斜視図である。
【図３】図１の携帯電話機の蓋体を示す分解斜視図である。
【図４】携帯電話機の本体と蓋体との取付構造を示す分解斜視図である。
【図５】図４の本体と蓋体とを接続するスライドユニットを示す分解斜視図である。
【図６】（ａ）は図１（ｂ）、（ｃ）は図１（ａ）の携帯電話機の形態に対応するスライドユニットの形態、（ｂ）は両者の中間の形態を示す斜視図である。
【図７】図１（ａ）の要部を示す側断面図である。
【図８】図７における、光の経路を示す拡大図である。
【図９】図１（ｂ）の要部を示す側断面図である。
【図１０】図９における、光の経路を示す拡大図である。
【符号の説明】
【００６４】
２     本体
３     蓋体
２１２ テンキー
２１３、２１４       光散乱部
３２２ 導光体
【図１】
2006115108.tif 000003
【図２】
2006115108.tif 000004
【図３】
2006115108.tif 000005
【図４】
2006115108.tif 000006
【図５】
2006115108.tif 000007
【図６】
2006115108.tif 000008
【図７】
2006115108.tif 000009
【図８】
2006115108.tif 000010
【図９】
2006115108.tif 000011
【図１０】
2006115108.tif 000012